(57)【要約】【課題】印刷物に付加する情報を店舗単位で制限することができるサーバ装置、配信システム、及びプログラムを提供する。【解決手段】サーバ装置は、管理手段と、配信手段と、受付手段とを備える。管理手段は、店舗の各々を識別可能な店舗コードと、発行装置の各々を識別可能な発行装置コードと、発行装置の印刷に関する印刷仕様とを関連付けて管理する。配信手段は、発行装置が発行する印刷物に付加して印刷させるための付加情報を、発行装置コードの各々に関連付けられた印刷仕様に適合させた状態で、発行装置に配信する。受付手段は、配信手段が配信する付加情報のうち、特定の付加情報を特定の店舗に備えられた発行装置に配信することを拒否する指示を受け付ける。配信手段は、受付手段が指示を受け付けたことを条件に、特定の店舗の店舗コードに関連付けられた発行装置コードに対応する発行装置への、特定の付加情報の配信を抑制する。【選択図】図１０
2018022244.tif 000002
【特許請求の範囲】
【請求項１】
店舗の各々を識別可能な店舗コードと、前記店舗に備えられた発行装置の各々を識別可能な発行装置コードと、前記発行装置の印刷に関する印刷仕様とを関連付けて管理する管理手段と、
前記発行装置が発行する印刷物に付加して印刷させるための付加情報を、前記発行装置コードの各々に関連付けられた前記印刷仕様に適合させた状態で、当該発行装置コードに対応する発行装置に配信する配信手段と、
前記配信手段が配信する前記付加情報のうち、特定の付加情報を特定の店舗に備えられた発行装置に配信することを拒否する指示を受け付ける受付手段と、
を備え、
前記配信手段は、前記受付手段が前記指示を受け付けたことを条件に、前記特定の店舗の店舗コードに関連付けられた前記発行装置コードに対応する発行装置への、前記特定の付加情報の配信を抑制するサーバ装置。
【請求項２】
前記配信手段は、前記特定の店舗の店舗コードに関連付けられた前記発行装置コードに対応する発行装置には、拒否された前記特定の付加情報を除いた残りの付加情報を配信する、
請求項１に記載のサーバ装置。
【請求項３】
前記印刷物に付加する予定の前記付加情報を送信する送信手段を更に備え、
前記受付手段は、前記送信手段が送信した前記付加情報について、配信を拒否する指示を受け付ける、
請求項１又は２に記載のサーバ装置。
【請求項４】
前記送信手段は、前記付加情報と当該付加情報を付加する予定の日時とを送信し、
前記受付手段は、前記送信手段が送信した前記付加情報を前記日時に付加することについて拒否する指示を受け付ける、
請求項３に記載のサーバ装置。
【請求項５】
印刷物に付加する付加情報を配信する配信システムであって、
サーバ装置は、
店舗の各々を識別可能な店舗コードと、前記店舗に備えられた発行装置の各々を識別可能な発行装置コードと、前記発行装置の印刷に関する印刷仕様とを関連付けて管理する管理手段と、
前記発行装置が発行する印刷物に付加して印刷させるための付加情報を、前記発行装置コードの各々に関連付けられた前記印刷仕様に適合させた状態で、当該発行装置コードに対応する発行装置に配信する配信手段と、
前記配信手段が配信する前記付加情報のうち、特定の付加情報を特定の店舗に備えられた発行装置に配信することを拒否する指示を受け付ける受付手段と、
を備え、
前記配信手段は、前記受付手段が前記指示を受け付けたことを条件に、前記特定の店舗の店舗コードに関連付けられた前記発行装置コードに対応する発行装置への、前記特定の付加情報の配信を抑制する、
前記発行装置は、
前記付加情報を受信する受信手段と、
前記受信手段が受信した前記付加情報を付加した印刷物を印刷する印刷制御手段と、
を備える配信システム。
【請求項６】
コンピュータを、
店舗の各々を識別可能な店舗コードと、前記店舗に備えられた発行装置の各々を識別可能な発行装置コードと、前記発行装置の印刷に関する印刷仕様とを関連付けて管理する管理手段と、
前記発行装置が発行する印刷物に付加して印刷させるための付加情報を、前記発行装置コードの各々に関連付けられた前記印刷仕様に適合させた状態で、当該発行装置コードに対応する発行装置に配信する配信手段と、
前記配信手段が配信する前記付加情報のうち、特定の付加情報を特定の店舗に備えられた発行装置に配信することを拒否する指示を受け付ける受付手段と、
して機能させ、
前記配信手段は、前記受付手段が前記指示を受け付けたことを条件に、前記特定の店舗の店舗コードに関連付けられた前記発行装置コードに対応する発行装置への、前記特定の付加情報の配信を抑制するプログラム。
【発明の詳細な説明】
【技術分野】
【０００１】
本発明の実施形態は、サーバ装置、配信システム、及びプログラムに関する。
【背景技術】
【０００２】
従来、スーパーマーケット等の小売店では、顧客に商品を販売した際に、その取引に係る明細を印刷したレシートを発行している。また、従来、レシートを広告コンテンツの出力媒体として使用するため、レシートを発行する発行装置に広告コンテンツ等の情報を配信する技術が存在する。
【０００３】
ところで、大規模な広告を実施するには、より多くの店舗において発行されるレシートに広告を付加する必要がある。そのためには、複数の企業がそれぞれ経営する複数の店舗において発行されるレシートに広告を付加する必要がある。しかしながら、店舗によっては、様々な企業と業務提携を行っている場合があるため、レシート等の印刷物に付加することが好ましくない広告等がある。
【発明の概要】
【発明が解決しようとする課題】
【０００４】
本発明が解決しようとする課題は、印刷物に付加する情報を店舗単位で制限することができるサーバ装置、配信システム、及びプログラムを提供することである。
【課題を解決するための手段】
【０００５】
実施形態のサーバ装置は、管理手段と、配信手段と、受付手段とを備える。前記管理手段は、店舗の各々を識別可能な店舗コードと、前記店舗に備えられた発行装置の各々を識別可能な発行装置コードと、前記発行装置の印刷に関する印刷仕様とを関連付けて管理する。前記配信手段は、前記発行装置が発行する印刷物に付加して印刷させるための付加情報を、前記発行装置コードの各々に関連付けられた前記印刷仕様に適合させた状態で、当該発行装置コードに対応する発行装置に配信する。前記受付手段は、前記配信手段が配信する前記付加情報のうち、特定の付加情報を特定の店舗に備えられた発行装置に配信することを拒否する指示を受け付ける。前記配信手段は、前記受付手段が前記指示を受け付けたことを条件に、前記特定の店舗の店舗コードに関連付けられた前記発行装置コードに対応する発行装置への、前記特定の付加情報の配信を抑制する。
【図面の簡単な説明】
【０００６】
【図１】図１は、実施形態に係る配信システムの一例を示す説明図である。
【図２】図２は、配信サーバのハードウェア構成の一例を示すブロック図である。
【図３】図３は、店舗テーブルのデータ構成の一例を示す説明図である。
【図４】図４は、発行装置テーブルのデータ構成の一例を示す説明図である。
【図５】図５は、付加情報テーブルのデータ構成の一例を示す説明図である。
【図６】図６は、付加予定テーブルのデータ構成の一例を示す説明図である。
【図７】図７は、ユーザ端末のハードウェア構成の一例を示すブロック図である。
【図８】図８は、店舗サーバのハードウェア構成の一例を示すブロック図である。
【図９】図９は、発行装置のハードウェア構成の一例を示すブロック図である。
【図１０】図１０は、配信システムの各装置が有する特徴的な機能構成を示すブロック図である。
【図１１】図１１は、配信情報のデータ構成の一例を示す説明図である。
【図１２】図１２は、付加情報が付加されたレシートの一例を示す説明図である。
【図１３】図１３は、配信処理の一例を示すフローチャート図である。
【図１４】図１４は、拒否登録処理の一例を示すフローチャート図である。
【図１５】図１５は、設定処理の一例を示すフローチャート図である。
【図１６】図１６は、取消処理の一例を示すフローチャート図である。
【図１７】図１７は、発行処理の一例を示すフローチャート図である。
【発明を実施するための形態】
【０００７】
以下、図面を参照して、実施形態に係るサーバ装置、配信システム、及びプログラムについて詳細に説明する。以下に説明する実施形態は、サーバ装置、配信システム、及びプログラムの一実施形態であって、その構成や仕様等を限定するものではない。
【０００８】
図１は、実施形態に係る配信システム１の一例を示す説明図である。配信システム１は、配信サーバ１０と、ユーザ端末２０と、店舗システム３０とを備える。配信サーバ１０と、ユーザ端末２０と、店舗システム３０とは、インターネットやＶＰＮ（Virtual  Private  Network）等の配信ネットワーク４０を介して接続されている。
【０００９】
配信サーバ１０は、本実施形態のサーバ装置に対応する。配信サーバ１０は、レシートに付加する広告等の付加情報を、店舗システム３０（後述する店舗サーバ５０）の各々に配信する。なお、配信サーバ１０は、一台のサーバ装置に限らず、複数台のサーバ装置群であってもよい。配信サーバ１０がサーバ装置群である場合には、配信サーバ１０が備えている機能を各サーバ装置で分散していてもよい。さらに、配信サーバ１０がサーバ装置群である場合には、配信サーバ１０が記憶している各種情報を各サーバ装置で分散して記憶していてもよい。
【００１０】
ユーザ端末２０は、店舗システム３０の管理者等が使用するパーソナルコンピュータやスマートフォン等の情報処理装置である。例えば、ユーザ端末２０は、付加情報の配信前に、取引に係る取引内容が示されたレシートに付加する付加情報の配信を拒否することを送信する。すなわち、ユーザ端末２０は、付加情報のレシートへの付加を拒否することを配信サーバ１０に送信する。
【００１１】
店舗システム３０は、スーパーマーケット等の小売店の店舗に構築されたシステムである。店舗システム３０は、店舗サーバ５０と、発行装置６０とを備える。店舗サーバ５０と、発行装置６０とは、ＶＰＮ等の店舗ネットワーク７０を介して接続されている。
【００１２】
店舗サーバ５０は、店舗システム３０に属する発行装置６０を管理するパーソナルコンピュータ等の情報処理装置である。すなわち、ユーザ端末２０は、付加情報の配信後に、取引に係る取引内容が示されたレシートに付加する付加情報を受信した発行装置６０に、レシートへの付加情報の付加を取り消すことを送信する。
【００１３】
発行装置６０は、一取引に係る取引内容が印刷された印刷物（レシート）を発行する装置である。発行装置６０は、例えば、ＰＯＳ（Point  Of  Sales）端末、店舗において顧客等に各種情報を提供するキオスク端末、レシートを印刷するレシートプリンタ、顧客自身が商品読取を実施するセルフＰＯＳ端末、商品の重量の計量と計量値に応じた価格のレシートを発行する計量装置等である。
【００１４】
発行装置６０は、一取引に係る販売対象の商品やサービス等を登録する。そして、発行装置６０は、登録した商品やサービス等の合計価格等の一取引に係る取引内容が印刷されたレシートを発行する。その際、発行装置６０は、広告等の付加情報をレシートに付加することが設定されていることを条件に、その付加情報を付加したレシートを発行する。
【００１５】
次に、配信システム１が有する各種装置のハードウェア構成について説明する。
【００１６】
図２は、配信サーバ１０のハードウェア構成の一例を示すブロック図である。配信サーバ１０は、制御部１０１と、記憶部１０２と、通信インタフェース１０３と、表示部１０４と、操作部１０５とを備える。制御部１０１と、記憶部１０２と、通信インタフェース１０３と、表示部１０４と、操作部１０５とは、システムバス１０６を介して相互に接続している。
【００１７】
制御部１０１は、配信サーバ１０の全体の動作を制御し、配信サーバ１０が有する各種の機能を実現する。制御部１０１は、ＣＰＵ（Central  Processing  Unit）と、ＲＯＭ（Read  Only  Memory）と、ＲＡＭ（Random  Access  Memory）とを備える。ＣＰＵは、配信サーバ１０の動作を統括的に制御する。ＲＯＭは、各種プログラムやデータを記憶する記憶媒体である。ＲＡＭは、各種プログラムを一時的に記憶したり、各種データを書き換えたりする記憶媒体である。そして、ＣＰＵは、ＲＡＭをワークエリア（作業領域）としてＲＯＭ又は記憶部１０２等に格納されたプログラムを実行する。
【００１８】
記憶部１０２は、ＨＤＤ（Hard  Disk  Drive）やＳＳＤ（Solid  State  Drive）などの記憶装置である。記憶部１０２は、制御プログラム１０７と、店舗テーブル１０８と、発行装置テーブル１０９と、付加情報テーブル１１０と、付加予定テーブル１１１とを記憶する。なお、店舗テーブル１０８と、発行装置テーブル１０９と、付加情報テーブル１１０と、付加予定テーブル１１１とは、配信サーバ１０に限らず、他のサーバ装置等が記憶していてもよい。
【００１９】
制御プログラム１０７は、オペレーティングシステムや、配信サーバ１０が備えている機能を実現させるためのプログラムである。そして、制御プログラム１０７には、本実施形態に係る特徴的な機能を実現させるためのプログラムが含まれる。
【００２０】
店舗テーブル１０８は、各店舗に関する情報を記憶する。図３は、店舗テーブル１０８のデータ構成の一例を示す説明図である。図３に示すように、店舗テーブル１０８は、店舗コードと、企業コードと、店舗属性と、店舗サーバコードと、一又は複数の発行装置コードとを関連付けて記憶する。店舗コードは、店舗を識別可能な識別情報である。企業コードは、店舗を経営する企業を識別可能な識別情報である。店舗属性は、店舗の属性である。例えば、店舗属性は、所在地や、業種業態等である。所在地は、店舗が存在する場所を示す情報である。例えば、所在地は、店舗の住所である。業種業態は、店舗の業種や業態を示す情報である。例えば、業種業態は、スーパーマーケットや、コンビニエンスストアや、食料品小売や、飲食業等である。なお、店舗テーブル１０８は、店舗属性として、所在地や、業種業態等に限らず、店舗の他の属性について記憶していてもよい。店舗サーバコードは、店舗に設置されている店舗サーバ５０を識別可能な識別情報である。発行装置コードは、各店舗に設置された発行装置６０の各々を識別可能な識別情報である。
【００２１】
発行装置テーブル１０９は、発行装置６０に関する情報を記憶する。図４は、発行装置テーブル１０９のデータ構成の一例を示す説明図である。図４に示すように、発行装置テーブル１０９は、発行装置コードと、装置種別と、メーカーコードと、機種コードと、バージョンとを関連付けて記憶する。装置種別は、発行装置６０の種別である。例えば、装置種別は、ＰＯＳ端末、キオスク端末、レシートプリンタ、セルフＰＯＳ端末、レシートを発行する計量装置等である。発行装置コードは、発行装置６０を識別可能な識別情報である。メーカーコードは、発行装置６０を製造した企業を示す情報である。機種コードは、発行装置６０の機種を識別可能な識別情報である。バージョンは、発行装置６０の変更の段階を示す情報である。印刷仕様は、サイズや解像度等である。サイズは、レシートにおける付加情報を印刷可能な領域の大きさを示す情報である。すなわち、サイズは、印刷可能な領域の縦方向と、横方向との大きさを示す情報である。解像度は、付加情報を印刷する場合に求められるドットの密度である。なお、発行装置テーブル１０９は、印刷仕様として、サイズや解像度に限らず、他の印刷仕様について記憶していてもよい。また、本実施形態は、発行装置テーブル１０９が印刷仕様を記憶している。また、印刷仕様は、発行装置テーブル１０９に限らず、他のデータテーブルに記憶されていてもよい。
【００２２】
付加情報テーブル１１０は、配信の対象となる付加情報を記憶・管理する。図５は、付加情報テーブル１１０のデータ構成の一例を示す説明図である。図５に示すように、付加情報テーブル１１０は、付加情報コードと、仕様別コードと、付加情報と、印刷仕様とを関連付けて記憶する。付加情報コードは、付加情報の各々を識別可能な識別情報である。ここで、発行装置６０は、印刷仕様により印刷可能な付加情報も異なっている。そこで、付加情報テーブル１１０は、一つの付加情報コードに対して印刷仕様の異なる複数の付加情報を記憶している。さらに詳しくは、付加情報テーブル１１０は、例えば、レシートに印刷される内容は同一ではあるが印刷仕様の異なる複数の付加情報を記憶していてもよいし、同一商品の広告ではあるが広告の文言や画像がことなる異なる複数の付加情報を記憶していてもよい。そして、仕様別コードは、印刷仕様ごとの付加情報の各々を識別可能な識別情報である。付加情報は、付加情報の実体である。付加情報は、画像データであってもよいし、文字データであってもよい。付加情報の内容は、限定されず如何なる内容であってもよい。例えば、付加情報の内容は、広告であってもよいし、クーポンであってもよいし、４コマ漫画等であってもよい。印刷仕様は、付加情報を付加して印刷するために求められる発行装置６０の印刷仕様である。更に詳しくは、印刷仕様は、サイズや解像度等である。サイズは、レシートに印刷した付加情報の領域の大きさを示す情報である。すなわち、サイズは、レシートに印刷した付加情報の縦方向と、横方向との大きさを示す情報である。解像度は、付加情報を印刷する場合に求められるドットの密度である。なお、付加情報テーブル１１０は、印刷仕様として、サイズや解像度に限らず、付加情報の他の印刷仕様について記憶していてもよい。
【００２３】
付加予定テーブル１１１は、各店舗においてレシートに付加情報を付加するスケジュール等を記憶する。図６は、付加予定テーブル１１１のデータ構成の一例を示す説明図である。図６に示すように、付加予定テーブル１１１は、付加予定情報と、拒否店舗コードとを関連付けて記憶する。付加予定情報は、各付加情報をレシートに付加する予定の日時と条件とが示された情報である。付加予定情報は、年月日と、時間帯と、装置種別と、付加条件と、付加情報コードとを関連付けて記憶する。年月日は、付加情報を付加する年月日を示す情報である。時間帯は、付加情報を付加する時間帯を示す情報である。装置種別は、発行装置６０の種別である。例えば、装置種別は、ＰＯＳ端末や、キオスク端末や、レシートプリンタや、セルフＰＯＳ端末や、レシートを発行する計量装置等である。また、装置種別には、特定の種別の装置を指定しないことを設定してもよい。付加条件は、付加情報を付加する条件である。付加条件には、任意の条件を設定することができる。例えば、付加条件は、性別や年代等の顧客の属性等である。また、付加条件は、一取引において購入された商品や、購入個数や、合計金額等であってもよい。付加条件に商品を設定した場合には、特定の商品を購入したことを条件に、付加情報が付加される。付加条件に購入個数や合計金額を設定した場合には、購入した商品個数や合計金額が閾値以上であることを条件に、付加情報が付加される。また、付加条件は、特定の団体等の会員であることであってもよい。付加条件に会員であることを設定した場合には、会員証の会員コード等を提示したことを条件に、付加情報が付加される。また、付加条件は、一種類に限らず、複数種類であってもよい。付加情報コードは、付加情報を付加する年月日の時間帯に発行されるレシートについて付加条件が満たされたことを条件にレシートに付加する付加情報を示す情報である。拒否店舗コードは、付加情報のレシートへの付加を拒否するために、付加情報の配信を拒否した店舗の店舗コードである。そして、付加予定テーブル１１１は、拒否店舗コードとして一又は複数の店舗コードを記憶する。
【００２４】
通信インタフェース１０３は、配信ネットワーク４０等に接続された装置と通信するためのインタフェースである。
【００２５】
表示部１０４は、例えば、液晶表示装置（ＬＣＤ）である。なお、表示部１０４は、液晶表示装置に限らず、有機ＥＬ表示装置等であってもよい。
【００２６】
操作部１０５は、キーボードや、マウス等の入力装置である。操作部１０５は、配信サーバ１０に対する操作を受け付ける。
【００２７】
図７は、ユーザ端末２０のハードウェア構成の一例を示すブロック図である。ユーザ端末２０は、制御部２０１と、記憶部２０２と、通信インタフェース２０３と、表示部２０４と、操作部２０５とを備える。制御部２０１と、記憶部２０２と、通信インタフェース２０３と、表示部２０４と、操作部２０５とは、システムバス２０６を介して相互に接続している。
【００２８】
制御部２０１は、ユーザ端末２０の全体の動作を制御し、ユーザ端末２０が有する各種の機能を実現する。制御部２０１は、ＣＰＵと、ＲＯＭと、ＲＡＭとを備える。ＣＰＵは、ユーザ端末２０の動作を統括的に制御する。ＲＯＭは、各種プログラムやデータを記憶する記憶媒体である。ＲＡＭは、各種プログラムを一時的に記憶したり、各種データを書き換えたりする記憶媒体である。そして、ＣＰＵは、ＲＡＭをワークエリア（作業領域）としてＲＯＭ又は記憶部２０２等に格納されたプログラムを実行する。
【００２９】
記憶部２０２は、ＨＤＤやＳＳＤなどの記憶装置である。記憶部２０２は、制御プログラム２０７を記憶する。制御プログラム２０７は、オペレーティングシステムや、ユーザ端末２０が備えている機能を実現させるためのプログラムである。そして、制御プログラム２０７には、本実施形態に係る特徴的な機能を実現させるためのプログラムが含まれる。
【００３０】
通信インタフェース２０３は、配信ネットワーク４０等に接続された装置と通信するためのインタフェースである。
【００３１】
表示部２０４は、例えば、液晶表示装置（ＬＣＤ）である。なお、表示部２０４は、液晶表示装置に限らず、有機ＥＬ表示装置等であってもよい。
【００３２】
操作部２０５は、キーボードや、マウス等の入力装置である。操作部２０５は、ユーザ端末２０に対する操作を受け付ける。
【００３３】
図８は、店舗サーバ５０のハードウェア構成の一例を示すブロック図である。店舗サーバ５０は、制御部５０１と、記憶部５０２と、通信インタフェース５０３と、表示部５０４と、操作部５０５とを備える。制御部５０１と、記憶部５０２と、通信インタフェース５０３と、表示部５０４と、操作部５０５とは、システムバス５０６を介して相互に接続している。
【００３４】
制御部５０１は、店舗サーバ５０の全体の動作を制御し、店舗サーバ５０が有する各種の機能を実現する。制御部５０１は、ＣＰＵと、ＲＯＭと、ＲＡＭとを備える。ＣＰＵは、店舗サーバ５０の動作を統括的に制御する。ＲＯＭは、各種プログラムやデータを記憶する記憶媒体である。ＲＡＭは、各種プログラムを一時的に記憶したり、各種データを書き換えたりする記憶媒体である。そして、ＣＰＵは、ＲＡＭをワークエリア（作業領域）としてＲＯＭ又は記憶部５０２等に格納されたプログラムを実行する。
【００３５】
記憶部５０２は、ＨＤＤやＳＳＤなどの記憶装置である。記憶部５０２は、制御プログラム５０７を記憶する。制御プログラム５０７は、オペレーティングシステムや、店舗サーバ５０が備えている機能を実現させるためのプログラムである。そして、制御プログラム５０７には、本実施形態に係る特徴的な機能を実現させるためのプログラムが含まれる。
【００３６】
通信インタフェース５０３は、配信ネットワーク４０又は店舗ネットワーク７０に接続された装置と通信するためのインタフェースである。
【００３７】
表示部５０４は、例えば、液晶表示装置（ＬＣＤ）である。なお、表示部５０４は、液晶表示装置に限らず、有機ＥＬ表示装置等であってもよい。
【００３８】
操作部５０５は、キーボードや、マウス等の入力装置である。操作部５０５は、店舗サーバ５０に対する操作を受け付ける。
【００３９】
図９は、発行装置６０のハードウェア構成の一例を示すブロック図である。なお、本実施形態では、発行装置６０がＰＯＳ端末である場合を例に説明する。発行装置６０は、制御部６０１と、記憶部６０２と、通信インタフェース６０３と、第１表示部６０４と、第２表示部６０５と、操作部６０６と、プリンタ６０７と、カードリーダライタ６０８と、スキャナ６０９とを備える。制御部６０１と、記憶部６０２と、通信インタフェース６０３と、第１表示部６０４と、第２表示部６０５と、操作部６０６と、プリンタ６０７と、カードリーダライタ６０８と、スキャナ６０９とは、システムバス６１０を介して相互に接続している。
【００４０】
制御部６０１は、発行装置６０の全体の動作を制御し、発行装置６０が有する各種の機能を実現する。制御部６０１は、ＣＰＵと、ＲＯＭと、ＲＡＭとを備える。ＣＰＵは、発行装置６０の動作を統括的に制御する。ＲＯＭは、各種プログラムやデータを記憶する記憶媒体である。ＲＡＭは、各種プログラムを一時的に記憶したり、各種データを書き換えたりする記憶媒体である。そして、ＣＰＵは、ＲＡＭをワークエリア（作業領域）としてＲＯＭ又は記憶部６０２等に格納されたプログラムを実行する。
【００４１】
記憶部６０２は、ＨＤＤやＳＳＤなどの記憶装置である。記憶部６０２は、制御プログラム６１１を記憶する。制御プログラム６１１は、オペレーティングシステムや、発行装置６０が備えている機能を実現させるためのプログラムである。そして、制御プログラム６１１には、本実施形態に係る特徴的な機能を実現させるためのプログラムが含まれる。
【００４２】
通信インタフェース６０３は、店舗ネットワーク７０等に接続された装置と通信するためのインタフェースである。
【００４３】
第１表示部６０４は、表示面上にタッチパネルが積層された液晶表示装置（ＬＣＤ）である。第１表示部６０４は、例えば、店舗の店員に向けて各種画面を表示する。第２表示部６０５は、表示面上にタッチパネルが積層された液晶表示装置（ＬＣＤ）である。第２表示部６０５は、例えば、顧客に向けて各種画面を表示する。
【００４４】
操作部６０６は、キーボード等の入力装置である。また、操作部６０６は、第１表示部６０４に積層されたタッチパネルや、第２表示部６０５に積層されたタッチパネルであってもよい。
【００４５】
プリンタ６０７は、一取引に係る取引内容を所定の用紙に印刷したレシートを発行する。カードリーダライタ６０８は、カードからカード情報の読み取り等をするためにスキャンする。スキャナ６０９は、顧客が持参した商品に付されたバーコード等のコードシンボルからコード情報を光学的に読み取る。
【００４６】
次に、配信システム１の各装置が有する特徴的な機能について説明する。ここで、図１０は、配信システム１の各装置が有する特徴的な機能構成を示すブロック図である。
【００４７】
配信サーバ１０の制御部１０１は、記憶部１０２に記憶された制御プログラム１０７をＲＡＭに展開し、制御プログラム１０７に従って動作することで、図１０に示す各機能部をＲＡＭに生成する。具体的には、配信サーバ１０の制御部１０１は、機能部として、通信制御部１００１と、店舗管理部１００２と、付加情報登録部１００３と、予定登録部１００４と、対象抽出部１００５と、配信情報生成部１００６と、配信制御部１００７とを備える。
【００４８】
通信制御部１００１は、本実施形態の受付手段及び送信手段として機能する。通信制御部１００１は、通信インタフェース１０３を制御して、配信ネットワーク４０に接続されたユーザ端末２０や店舗サーバ５０等の装置と通信する。さらに、通信制御部１００１は、通信インタフェース１０３を制御して、店舗サーバ５０を介して、店舗ネットワーク７０に接続された発行装置６０等の装置と通信する。
【００４９】
店舗管理部１００２は、本実施形態の管理手段として機能する。店舗管理部１００２は、店舗に関する情報を管理する。すなわち、店舗管理部１００２は、店舗テーブル１０８及び発行装置テーブル１０９を管理する。例えば、店舗管理部１００２は、新たに店舗を追加する場合に、追加対象の店舗を店舗テーブル１０８に追加する。また、店舗管理部１００２は、新たに発行装置６０を追加する場合に、追加対象の発行装置６０の発行装置コードを店舗テーブル１０８に追加する。
【００５０】
付加情報登録部１００３は、配信の対象となる付加情報を付加情報テーブル１１０に登録する。付加情報登録部１００３は、配信サーバ１０において生成された付加情報を付加情報テーブル１１０に登録してもよい。また、付加情報登録部１００３は、通信制御部１００１が外部装置から受信した付加情報を付加情報テーブル１１０に登録してもよい。また、付加情報登録部１００３は、ＵＳＢ（Universal  Serial  Bus）インタフェース等の接続インタフェースを介して外部装置から入力された付加情報を付加情報テーブル１１０に登録してもよい。
【００５１】
予定登録部１００４は、レシートに対して付加情報を付加する予定や条件を付加予定テーブル１１１に設定する。すなわち、予定登録部１００４は、年月日ごとに、付加情報を付加する時間帯と、付加情報を付加する付加条件と、付加情報を付加させる装置種別と、付加条件ごとの付加情報とを設定する。予定登録部１００４は、操作部１０５が受け付けた操作に基づいて予定を付加予定テーブル１１１に登録してもよい。また、予定登録部１００４は、通信制御部１００１が外部装置から受信した情報に基づいて予定や条件を付加予定テーブル１１１に登録してもよい。また、予定登録部１００４は、ＵＳＢインタフェース等の接続インタフェースを介して外部装置から入力された情報に基づいて予定や条件を付加予定テーブル１１１に登録してもよい。なお、予定登録部１００４は、年月日、時間帯、装置種別及び付加条件の全てを登録してもよいし、一部を登録してもよい。
【００５２】
予定登録部１００４は、付加情報のレシートへの付加を拒否するために、付加情報の配信を拒否した店舗の店舗コードを登録する。さらに詳しくは、予定登録部１００４は、ユーザ端末２０等からレシートに付加する付加情報の予定を要求する付加予定要求を通信制御部１００１が受信したことを条件に、付加予定情報を通信制御部１００１に送信させる。さらに、予定登録部１００４は、付加予定情報において指定された付加情報コードの付加情報を通信制御部１００１に送信させる。通信制御部１００１は、ユーザ端末２０等において付加することを拒否する特定の付加情報が選択されたことを条件に、拒否された付加情報コードと、拒否した店舗の店舗コードとを受信する。予定登録部１００４は、受信した付加情報コードに関連付けて受信した店舗コードを拒否店舗コードとして付加予定テーブル１１１に登録する。
【００５３】
対象抽出部１００５は、指定された抽出条件を満たす店舗システム３０の店舗サーバ５０を、付加情報を送信する店舗サーバ５０として店舗テーブル１０８から抽出する。また、抽出条件には、任意の条件を設定することができる。例えば、抽出条件とは、企業コード、店舗属性、又はこれらの組み合わせ等である。対象抽出部１００５は、抽出条件が適合することを条件に、企業コードの異なる複数の店舗の店舗サーバ５０を抽出することができる。そして、対象抽出部１００５は、抽出条件として特定の地域が指定されたことを条件に、店舗の所在地が指定された地域に含まれる店舗の店舗サーバ５０を企業コードに関わらず抽出する。また、対象抽出部１００５は、抽出条件として飲食店が指定されたことを条件に、店舗の業種業態が飲食店である店舗の店舗サーバ５０を企業コードに関わらず抽出する。
【００５４】
配信情報生成部１００６は、配信制御部１００７と協働することで、対象抽出部１００５が抽出した各店舗サーバ５０に配信する配信情報を生成する。配信情報とは、付加予定テーブル１１１において設定された時間帯と装置種別と付加条件とに応じた付加情報が発行装置６０ごとに設定された情報である。ここで、図１１は、配信情報のデータ構成の一例を示す説明図である。配信情報は、発行装置コードと、時間帯と、付加条件と、付加情報とを関連付けて記憶する。発行装置コードは、付加情報を付加する発行装置６０を示す情報である。時間帯は、付加情報をレシートに付加する時間帯を示す情報である。付加条件は、付加情報をレシートに付加する条件を示す情報である。
【００５５】
ところで、発行装置６０は、付加予定テーブル１１１に設定された年月日と、時間帯と、装置種別と、付加条件とに応じた付加情報をレシートに付加して印刷することが求められる。しかしながら、装置種別の異なる発行装置６０では、用途が異なるためレシートに付加すべき付加情報も異なっている。また、装置種別の異なる発行装置６０では、印刷可能なレシートのサイズや印刷の解像度等の印刷仕様が異なるため印刷可能な付加情報も異なっている。
【００５６】
そこで、配信情報生成部１００６は、対象抽出部１００５が抽出した各店舗システム３０の発行装置６０ごとに、その装置種別に応じて、発行装置６０が発行可能な印刷仕様の付加情報を有する配信情報を生成する。さらに詳しくは、配信情報生成部１００６は、店舗テーブル１０８において配信先の店舗システム３０の店舗サーバコードに関連付けられている発行装置コードを抽出する。配信情報生成部１００６は、抽出した発行装置コードと、発行装置テーブル１０９の発行装置コードとを比較することにより、抽出した発行装置コードの装置種別を抽出する。また、配信情報生成部１００６は、抽出した配信先の発行装置６０の発行装置コードの印刷仕様を発行装置テーブル１０９から抽出する。そして、配信情報生成部１００６は、抽出した装置種別及び印刷仕様に適合する付加情報を付加情報テーブル１１０から選択する。これにより、配信情報生成部１００６は、装置種別、及び印刷仕様に適合した状態の付加情報を有する配信情報を生成する。
【００５７】
なお、配信情報生成部１００６は、種々の方法により印刷仕様に適合する付加情報を有する配信情報を生成することができる。例えば、配信情報生成部１００６は、付加予定テーブル１１１において設定された付加情報コードの付加情報を、発行装置６０の印刷仕様に適合する付加情報に変換することにより発行装置６０の印刷仕様に適合させてもよい。さらに詳しくは、配信情報生成部１００６は、付加予定テーブル１１１において設定された付加情報コードを抽出する。また、配信情報生成部１００６は、配信先の発行装置６０の印刷仕様を発行装置テーブル１０９から抽出する。そして、配信情報生成部１００６は、抽出した付加情報コードの付加情報を、発行装置６０の印刷仕様に適合する付加情報に変換する。例えば、付加情報の変換とは、付加情報の印刷仕様のサイズを、拡大や縮小すること等である。これにより、配信情報生成部１００６は、装置種別、及び印刷仕様に適合した状態の付加情報を有する配信情報を生成する。なお、付加情報を抽出した印刷仕様に適合する付加情報に変換する処理は、配信サーバ１０に限らず、店舗サーバ５０や発行装置６０が実行してもよい。
【００５８】
ここで、店舗によっては、レシートに付加することが好ましくない付加情報がある。各店舗は、付加したくない付加情報については拒否店舗コードとして店舗コードを登録している。従って、配信情報生成部１００６は、拒否店舗コードとして店舗コードを登録している店舗用の配信情報を生成することを条件に、拒否された付加情報を除いて配信情報を生成する。すなわち、配信情報生成部１００６は、付加予定テーブル１１１において、拒否された付加情報と、拒否されていない付加情報とが混在していることを条件に、拒否された付加情報を除いた残りの付加情報を有する配信情報を生成する。また、配信情報生成部１００６は、付加予定テーブル１１１において、拒否されていない付加情報がないことを条件に、付加情報がないことを示す配信情報を生成してもよいし、配信情報の生成を取り止めてもよい。
【００５９】
配信制御部１００７は、通信制御部１００１とともに本実施形態の配信手段として機能する。配信制御部１００７は、通信制御部１００１を制御することで、配信情報生成部１００６が生成した配信情報を、対象抽出部１００５が抽出した店舗サーバ５０に送信（配信）させる。配信情報を受信した各店舗サーバ５０は、配信情報において指定された発行装置コードの発行装置６０に付加情報を配信する。すなわち、配信制御部１００７は、各発行装置６０に向けて配信情報を送信（配信）させる。
【００６０】
具体的には、配信制御部１００７は、予め定められた配信条件を満たすことを条件に、対象抽出部１００５に店舗サーバ５０を抽出させる。また、配信制御部１００７は、配信情報生成部１００６に配信情報を生成させる。そして、配信制御部１００７は、抽出した店舗サーバ５０に向けて生成した配信情報を通信制御部１００１に送信させる。ここで、拒否店舗コードの店舗に配信する配信情報には、拒否店舗コードとしての店舗コードに関連付けられた付加情報コードの付加情報は除かれている。すなわち、配信制御部１００７は、配信の拒否を指示した店舗等の店舗サーバ５０には、拒否された付加情報の配信を抑制する。すなわち、配信制御部１００７は、配信の拒否を指示した店舗等の発行装置６０には、拒否された付加情報の配信を抑制する。そして、配信制御部１００７は、拒否された付加情報と、拒否されていない付加情報とが混在していることを条件に、拒否された付加情報を除いた残りの付加情報を有する配信情報を配信する。なお、配信条件には、任意の条件を設定することができる。例えば、配信条件は、予め定められた時刻であってもよいし、配信情報の配信を指示する操作を受け付けたことであってもよい。また、配信情報の配信先は、店舗サーバ５０に限らず、発行装置６０等であってもよい。
【００６１】
ユーザ端末２０の制御部２０１は、記憶部２０２に記憶された制御プログラム２０７をＲＡＭに展開し、制御プログラム２０７に従って動作することで、図１０に示す各機能部をＲＡＭに生成する。具体的には、ユーザ端末２０の制御部２０１は、機能部として、通信制御部２００１と、表示制御部２００２と、操作制御部２００３と、拒否設定部２００４とを備える。
【００６２】
通信制御部２００１は、通信インタフェース２０３を制御して、配信ネットワーク４０に接続された配信サーバ１０や店舗サーバ５０等の装置と通信する。さらに、通信制御部２００１は、通信インタフェース２０３を制御して、店舗サーバ５０を介して、店舗ネットワーク７０に接続された発行装置６０等の装置と通信する。
【００６３】
表示制御部２００２は、表示部２０４を制御して、各種情報を表示させる。操作制御部２００３は、操作部２０５を制御して、各種操作を受け付ける。
【００６４】
拒否設定部２００４は、通信制御部２００１が配信サーバ１０から受信した付加予定情報から選択した付加情報コードの付加情報をレシートに付加することの拒否を設定する。すなわち、拒否設定部２００４は、レシートへの付加を拒否する付加情報について配信を拒否することを設定する。さらに詳しくは、拒否設定部２００４は、配信の拒否の事前準備として、付加予定情報の送信を要求する付加予定要求を配信サーバ１０に送信する。拒否設定部２００４は、通信制御部２００１が付加予定情報及び、付加予定情報において指定された付加情報コードの付加情報を受信したことを条件に、表示制御部２００２に付加予定情報及び、付加情報を表示させる。拒否設定部２００４は、店舗の管理者等のユーザの指示に基づいて、配信を拒否する付加情報の付加情報コードを付加予定情報の中から選択する。そして、拒否設定部２００４は、選択された付加情報コードの付加情報について、配信を拒否する店舗の店舗コードを配信サーバ１０に向けて通信制御部２００１に送信させる。配信サーバ１０は、受信した店舗コードを、選択された付加情報コードに関連付けられた拒否店舗コードとして付加予定テーブル１１１に登録する。
【００６５】
店舗サーバ５０の制御部５０１は、記憶部５０２に記憶された制御プログラム５０７をＲＡＭに展開し、制御プログラム５０７に従って動作することで、図１０に示す各機能部をＲＡＭに生成する。具体的には、店舗サーバ５０の制御部５０１は、機能部として、通信制御部５００１と、表示制御部５００２と、操作制御部５００３と、付加制御部５００４とを備える。
【００６６】
通信制御部５００１は、通信インタフェース５０３を制御して、配信ネットワーク４０に接続された配信サーバ１０やユーザ端末２０等の装置と通信する。さらに、通信制御部５００１は、通信インタフェース５０３を制御して、店舗ネットワーク７０に接続された発行装置６０等の装置と通信する。
【００６７】
表示制御部５００２は、表示部５０４を制御して、各種情報を表示させる。操作制御部５００３は、操作部５０５を制御して、各種操作を受け付ける。
【００６８】
付加制御部５００４は、通信制御部５００１が配信情報を受信したことを条件に、配信情報において指定された付加情報を付加することを配信情報の各発行装置コードの発行装置６０に要求する。すなわち、付加制御部５００４は、配信情報を含む設定要求を各発行装置６０に向けて通信制御部５００１に送信させる。ここで、設定要求は、レシートを発行する際には、配信情報に含まれる付加情報を付加してレシートを発行する設定にすることを要求するものである。
【００６９】
付加制御部５００４は、発行装置６０に係る付加情報を付加する設定を取り消す。例えば、付加制御部５００４は、付加情報を付加する設定を取り消す操作を操作制御部５００３が受け付けたことを条件に、通信制御部５００１にレシートに付加情報を付加する設定の取消要求を発行装置６０に送信させる。
【００７０】
発行装置６０の制御部６０１は、記憶部６０２に記憶された制御プログラム６１１をＲＡＭに展開し、制御プログラム６１１に従って動作することで、図１０に示す各機能部をＲＡＭに生成する。具体的には、発行装置６０の制御部６０１は、機能部として、通信制御部６００１と、操作制御部６００２と、付加設定部６００３と、発行制御部６００４と、売上登録部６００５とを備える。なお、本実施形態では、発行装置６０がＰＯＳ端末である場合を例に説明する。
【００７１】
通信制御部６００１は、本実施形態の受信手段として機能する。通信制御部６００１は、通信インタフェース６０３を制御して、店舗ネットワーク７０に接続された店舗サーバ５０等の装置と通信する。さらに、通信制御部６００１は、通信インタフェース６０３を制御して、店舗サーバ５０等を介して、配信ネットワーク４０に接続された配信サーバ１０やユーザ端末２０等の装置と通信する。
【００７２】
操作制御部６００２は、操作部６０６を制御して、各種操作を受け付ける。
【００７３】
付加設定部６００３は、通信制御部６００１が配信情報の設定要求を受信したことを条件に、受信した設定要求に含まれる配信情報を記憶部６０２に記憶させる。そして、付加設定部６００３は、配信情報に含まれる付加情報をレシートに付加することを設定する。
【００７４】
付加設定部６００３は、付加情報の付加の取消要求を通信制御部６００１が受信したことを条件に、レシートに付加情報を付加する設定を取り消す。
【００７５】
発行制御部６００４は、本実施形態の印刷制御手段として機能する。発行制御部６００４は、レシートの発行を制御する。さらに詳しくは、発行制御部６００４は、レシートを発行することを条件に、レシートを発行する時刻に適合する時間帯を配信情報から抽出する。また、発行制御部６００４は、抽出した時間帯の中から、操作制御部６００２が受け付けた付加条件に関連付けられている付加情報を抽出する。そして、発行制御部６００４は、抽出した付加情報が付加されたレシートを発行する。例えば、発行制御部６００４は、プリンタ６０７を制御して、抽出した付加情報が付加されたレシートを印刷させる。
【００７６】
また、発行制御部６００４は、レシートに付加情報を付加する設定を付加設定部６００３が取り消したことを条件に、付加情報の付加を抑制し、付加情報が付加されていないレシートを発行する。
【００７７】
ここで、図１２は、付加情報が付加されたレシートの一例を示す説明図である。レシートは、取引内容印刷領域７００１と、付加情報印刷領域７００２とを備える。取引内容印刷領域７００１は、レシートにおける取引内容を印刷する領域である。付加情報印刷領域７００２は、付加情報を印刷する領域である。図１２に示す付加情報印刷領域７００２は、商品Ｘの広告が印刷付加されている。なお、図１２に示す付加情報印刷領域７００２は、取引内容印刷領域７００１の下方に位置しているが付加情報印刷領域７００２はレシートの何れに配置されていてもよい。また、取引内容印刷領域７００１と、付加情報印刷領域７００２とは切り離されていてもよい。
【００７８】
売上登録部６００５は、販売データ処理を制御する。すなわち、売上登録部６００５は、スキャナ６０９が受け付けた商品コードの商品を販売対象の商品として登録する。また、売上登録部６００５は、販売対象として登録した商品等の代金の合計金額を算出する。
【００７９】
次に、配信システム１の各装置の動作について説明する。ここで、図１３は、実施形態の配信システム１の配信サーバ１０及び店舗サーバ５０が実行する配信処理の一例を示すフローチャート図である。
【００８０】
配信サーバ１０の付加情報登録部１００３は、付加情報を付加情報テーブル１１０に登録する（ステップＳ１１）。配信サーバ１０の予定登録部１００４は、付加予定テーブル１１１に付加条件を登録する（ステップＳ１２）。
【００８１】
配信サーバ１０は、他の装置と協働することで、後述する拒否登録処理を実行する（ステップＳ１３）。
【００８２】
配信サーバ１０の配信制御部１００７は、配信情報を配信する配信条件を満たすか否かを判定する（ステップＳ１４）。配信条件を満たさない場合に（ステップＳ１４；Ｎｏ）、配信サーバ１０は、配信条件を満たすまで待機する。
【００８３】
一方、配信条件を満たす場合に（ステップＳ１４；Ｙｅｓ）、配信サーバ１０の対象抽出部１００５は、配信情報を配信する店舗サーバ５０を店舗テーブル１０８から抽出する（ステップＳ１５）。
【００８４】
配信サーバ１０の配信情報生成部１００６は、抽出した店舗サーバ５０に配信する配信情報を生成する（ステップＳ１６）。この時、配信情報生成部１００６は、拒否店舗コードとして店舗コードを登録している店舗の店舗サーバ５０には、拒否された付加情報を除いた配信情報を生成する。
【００８５】
配信サーバ１０の通信制御部１００１は、生成した配信情報を抽出した店舗サーバ５０に送信する（ステップＳ１７）。この時、通信制御部１００１は、拒否店舗コードとして店舗コードを登録している店舗の店舗サーバ５０には、拒否された付加情報を除いた配信情報を送信する。
【００８６】
店舗サーバ５０の通信制御部５００１は、配信情報を受信する（ステップＳ２１）。
【００８７】
店舗サーバ５０は、後述する設定処理を他の装置と協働で実行する（ステップＳ２２）。
【００８８】
以上により、配信システム１の各装置は、配信処理を終了する。
【００８９】
次に、配信システム１の各装置が実行する拒否登録処理について説明する。ここで、図１４は、実施形態の配信システム１の配信サーバ１０及びユーザ端末２０が実行する拒否登録処理の一例を示すフローチャート図である。
【００９０】
ユーザ端末２０の通信制御部２００１は、付加予定情報の送信を要求する付加予定要求を配信サーバ１０に送信する（ステップＳ３１）。
【００９１】
配信サーバ１０の通信制御部１００１は、付加予定要求を受信する（ステップＳ４１）。配信サーバ１０の通信制御部１００１は、付加予定情報及び、付加予定情報において指定された付加情報コードの付加情報をユーザ端末２０に送信する（ステップＳ４２）。
【００９２】
ユーザ端末２０の通信制御部２００１は、付加予定情報及び、付加予定情報において指定された付加情報コードの付加情報を受信する（ステップＳ３２）。ユーザ端末２０の表示制御部２００２は、付加予定情報及び、付加予定情報において指定された付加情報コードの付加情報を表示部２０４に表示させる（ステップＳ３３）。
【００９３】
ユーザ端末２０の拒否設定部２００４は、配信を拒否する付加情報コードが選択されたか否かを判定する（ステップＳ３４）。付加情報コードが選択されていないことを条件に（ステップＳ３４；Ｎｏ）、ユーザ端末２０は、拒否登録処理を終了する。
【００９４】
一方、付加情報コードが選択されたことを条件に（ステップＳ３４；Ｙｅｓ）、ユーザ端末２０の通信制御部２００１は、選択された付加情報コードと、付加情報の配信を拒否する店舗の店舗コードとを配信サーバ１０に送信する（ステップＳ３５）。
【００９５】
配信サーバ１０の通信制御部１００１は、選択された付加情報コードと、付加情報の配信を拒否する店舗の店舗コードとを受信する（ステップＳ４３）。配信サーバ１０の予定登録部１００４は、受信した付加情報コードに関連付けて、受信した店舗コードを拒否店舗コードとして付加予定テーブル１１１に登録する（ステップＳ４４）。
【００９６】
以上により、配信システム１の各装置は、拒否登録処理を終了する。
【００９７】
次に、配信システム１の各装置が実行する設定処理について説明する。ここで、図１５は、実施形態の配信システム１の店舗サーバ５０及び発行装置６０が実行する設定処理の一例を示すフローチャート図である。
【００９８】
店舗サーバ５０の通信制御部５００１は、配信サーバ１０から受信した配信情報を各発行装置６０に送信する（ステップＳ５１）。
【００９９】
発行装置６０の通信制御部６００１は、配信情報を受信する（ステップＳ６１）。発行装置６０の付加設定部６００３は、受信した配信情報に含まれる付加情報をレシートに付加することを設定する（ステップＳ６２）。
【０１００】
以上により、配信システム１の各装置は、設定処理を終了する。
【０１０１】
次に、配信システム１の各装置が実行する取消処理について説明する。ここで、図１６は、実施形態の配信システム１の店舗サーバ５０及び発行装置６０が実行する取消処理の一例を示すフローチャート図である。
【０１０２】
店舗サーバ５０の表示制御部５００２は、付加予定情報に含まれる付加情報コードの付加情報を表示部５０４に表示させる（ステップＳ７１）。これにより、表示制御部５００２は、店舗の管理者等に拒否すべき付加情報であるか否かを識別させる。
【０１０３】
店舗サーバ５０の付加制御部５００４は、付加情報の付加を取り消す取消設定が入力されたか否かを判定する（ステップＳ７２）。取消設定が入力されていないことを条件に（ステップＳ７２；Ｎｏ）、店舗サーバ５０は、取消処理を終了する。
【０１０４】
一方、取消設定が入力されたことを条件に（ステップＳ７２；Ｙｅｓ）、店舗サーバ５０の通信制御部５００１は、付加情報を付加する設定の取り消しを要求する取消要求を発行装置６０に送信する（ステップＳ７３）。
【０１０５】
発行装置６０の通信制御部６００１は、取消要求を受信する（ステップＳ８１）。発行装置６０の付加設定部６００３は、付加情報を付加する設定を取り消す（ステップＳ８２）。
【０１０６】
以上により、配信システム１の各装置は、取消処理を終了する。
【０１０７】
次に、発行装置６０が実行する発行処理について説明する。ここで、図１７は、実施形態の発行装置６０が実行する発行処理の一例を示すフローチャート図である。
【０１０８】
発行装置６０の操作制御部６００２は、付加条件の入力を受け付ける（ステップＳ９１）。すなわち、操作制御部６００２は、例えば顧客の属性等の入力を受け付ける。
【０１０９】
発行装置６０の発行制御部６００４は、レシートを発行する時刻に適合する時間帯を配信情報から抽出する（ステップＳ９２）。
【０１１０】
発行装置６０の発行制御部６００４は、ステップＳ９２で抽出した時間帯の中から、顧客の属性に適合する付加条件に関連付けられている付加情報を抽出する（ステップＳ９３）。
【０１１１】
発行装置６０の発行制御部６００４は、抽出した付加情報について付加することが取り消されているか否かを判定する（ステップＳ９４）。付加情報の付加が取り消されていないことを条件に（ステップＳ９４；Ｎｏ）、発行装置６０の発行制御部６００４は、付加情報が付加されたレシートを発行する（ステップＳ９５）。
【０１１２】
一方、付加情報の付加が取り消されていることを条件に（ステップＳ９４；Ｙｅｓ）、発行装置６０の発行制御部６００４は、付加情報が付加されていないレシートを発行する（ステップＳ９６）。
【０１１３】
以上により、配信システム１の各装置は、発行処理を終了する。
【０１１４】
以上のように、本実施形態に係る配信システム１によれば、配信サーバ１０は、店舗テーブル１０８、発行装置テーブル１０９、付加情報テーブル１１０、及び付加予定テーブル１１１を管理する。そして、配信サーバ１０は、店舗テーブル１０８の各企業コードの店舗にレシートに付加する付加情報を配信する。但し、配信サーバ１０は、付加情報について配信が拒否されたことを条件に、拒否された付加情報の配信を抑制する。よって、発行装置６０は、付加情報をレシート等の印刷物に付加しない。従って、配信サーバ１０は、印刷物に付加する情報を店舗単位で制限することができる。
【０１１５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１１６】
上記実施形態や変形例の各装置で実行されるプログラムは、各装置が備える記憶媒体（ＲＯＭ又は記憶部）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【０１１７】
また、上記実施形態や変形例の各装置で実行されるプログラムをインターネット等のネットワークに接続されたコンピュータ上に格納し、ネットワーク経由でダウンロードさせることにより提供するように構成してもよいし、インターネット等のネットワーク経由で提供又は配布するように構成してもよい。
【符号の説明】
【０１１８】
１  配信システム
１０  配信サーバ
２０  ユーザ端末
５０  店舗サーバ
６０  発行装置
１００１  通信制御部
１００２  店舗管理部
１００３  付加情報登録部
１００４  予定登録部
１００５  対象抽出部
１００６  配信情報生成部
１００７  配信制御部
２００１  通信制御部
２００２  表示制御部
２００３  操作制御部
５００１  通信制御部
５００２  表示制御部
５００３  操作制御部
５００４  付加制御部
６００１  通信制御部
６００２  操作制御部
６００３  付加設定部
６００４  発行制御部
６００５  売上登録部
【先行技術文献】
【特許文献】
【０１１９】
【特許文献１】特開２００３−５８０８７号公報
【図１】
2018022244.tif 000003
【図２】
2018022244.tif 000004
【図３】
2018022244.tif 000005
【図４】
2018022244.tif 000006
【図５】
2018022244.tif 000007
【図６】
2018022244.tif 000008
【図７】
2018022244.tif 000009
【図８】
2018022244.tif 000010
【図９】
2018022244.tif 000011
【図１０】
2018022244.tif 000012
【図１１】
2018022244.tif 000013
【図１２】
2018022244.tif 000014
【図１３】
2018022244.tif 000015
【図１４】
2018022244.tif 000016
【図１５】
2018022244.tif 000017
【図１６】
2018022244.tif 000018
【図１７】
2018022244.tif 000019